【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
励起源（２１２）によって励起された場合に電磁界を生成するように構成された単一の帯電端子（Ｔ1）を有する誘導表面導波プローブ（２００ａ、２００ｂ）であって、前記電磁界は、テレストリアル媒体（２０３）の複素ブルースター入射角（θｉ，Ｂ）で入射する波面を合成することで、前記テレストリアル媒体（２０３）にわたって進む誘導表面波を生成する、誘導表面導波プローブと、
前記単一の帯電端子（Ｔ1）と前記励起源（２１２）との間に電気的に結合される給電ネットワーク（２０９）であって、前記給電ネットワーク（２０９）が前記複素ブルースター入射角（θｉ，Ｂ）に関連付けられたウェーブチルト角（Ψ）に整合される位相遅延（Φ）を提供する前記給電ネットワーク（２０９）と、
前記誘導表面波から電気エネルギを得るように構成された誘導表面波受信構造であって、前記誘導表面波受信構造は磁気コイル（３０９）及び前記磁気コイル（３０９）内に配置されたコアを備え、前記コアは、約１０より大きく約１，０００，０００未満の比透磁率を有する、誘導表面波受信構造と、
前記誘導表面波受信構造に結合された電気的負荷（３２７）と、
を含むことを特徴とするシステム。
【請求項２】
前記比透磁率は約１００より大きく約１，０００，０００未満であることを特徴とする請求項１に記載のシステム。
【請求項３】
前記比透磁率は約１，０００より大きく約１０，０００未満であることを特徴とする請求項２に記載のシステム。
【請求項４】
前記比透磁率は約１０，０００より大きく約１，０００，０００未満であることを特徴とする請求項２に記載のシステム。
【請求項５】
前記比透磁率は約１００，０００より大きく約１，０００，０００未満であることを特徴とする請求項４に記載のシステム。
【請求項６】
前記コアの前記比透磁率は約５，０００より大きく約６０，０００未満であることを特徴とする請求項２に記載のシステム。
【請求項７】
前記コアは、ニッケル−鉄磁性合金を含むことを特徴とする請求項１乃至６のいずれか１項に記載のシステム。
【請求項８】
前記コアは、ニッケル、鉄及びモリブデンを含む合金を含むことを特徴とする請求項７に記載のシステム。
【請求項９】
前記磁気コイルは、前記磁気コイルの位置を調整するように構成された支持構造に取り付けられていることを特徴とする請求項１乃至８のいずれか１項に記載のシステム。
【請求項１０】
前記磁気コイルは、前記誘導表面導波プローブに対する前記磁気コイルの前記位置を調整するように構成された前記支持構造に取り付けられていることを特徴とする請求項９に記載のシステム。
【請求項１１】
励起源（２１２）を介して誘導表面導波プローブ（２００ａ、２００ｂ）の単一の帯電端子（Ｔ1）を励起することによって、テレストリアル媒体（２０３）の複素ブルースター入射角（θｉ，Ｂ）で入射する波面を合成する電磁界を生成することにより、前記テレストリアル媒体（２０３）にわたって進む誘導表面波を生成することであって、給電ネットワーク（２０９）が前記単一の帯電端子（Ｔ1）と前記励起源（２１２）との間に電気的に結合され、前記給電ネットワーク（２０９）は前記複素ブルースター入射角（θｉ，Ｂ）に関連付けられたウェーブチルト角（Ψ）に整合される位相遅延（Φ）を提供する、生成することと、
磁気コイル（３０９）及び前記磁気コイル（３０９）内に配置されたコアを備え、前記コアは、約１０より大きく約１，０００，０００未満の比透磁率を有している誘導表面波受信構造を使用して、前記誘導表面波の形態で電気エネルギを受信することと、
前記誘導表面波受信構造に結合された電気的負荷（３２７）に前記電気エネルギを供給することと、
を含むことを特徴とする方法。
【請求項１２】
前記誘導表面波の磁束が前記磁気コイルを貫くように前記磁気コイルを位置決めすることを更に含むことを特徴とする請求項１１に記載の方法。
【請求項１３】
前記誘導表面導波プローブに対する前記磁気コイルの配向の変化に応答して前記磁気コイルの位置を調整することを更に含むことを特徴とする請求項１１又は１２に記載の方法。
【請求項１４】
前記誘導表面導波プローブに対する前記磁気コイルの前記配向の変化を検出することを更に含むことを特徴とする請求項１３に記載の方法。
【請求項１５】
前記磁気コイルの前記位置を調整することにより、水平線と前記コアの長手軸との間の角度を変化させることを特徴とする請求項１３又は１４に記載の方法。
【手続補正２】
【補正対象書類名】明細書
【補正対象項目名】０００１
【補正方法】変更
【補正の内容】
【０００１】
［関連出願の相互参照］
本出願は、２０１５年９月１０日に出願された米国特許出願公開第１４／８４９，６４３号の優先権及び利益を主張する。
【手続補正３】
【補正対象書類名】明細書
【補正対象項目名】０００２
【補正方法】変更
【補正の内容】
【０００２】
本出願は、２０１３年３月７日に出願され出願番号第１３／７８９，５３８号が付与され、公開番号第２０１４／０２５２８８６（Ａ１）号として２０１４年９月１１日に公開された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅ  Ｍｏｄｅｓ  ｏｎ  Ｌｏｓｓｙ  Ｍｅｄｉａ」と題された同時係属の米国非仮特許出願に関連する。本出願はまた、２０１３年３月７日に出願され出願番号第１３／７８９，５２５号が付与され、公開番号第２０１４／０２５２８６５（Ａ１）号として２０１４年９月１１日に公開された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅ  Ｍｏｄｅｓ  ｏｎ  Ｌｏｓｓｙ  Ｍｅｄｉａ」と題された同時係属の米国非仮特許出願に関連する。本出願は更に、２０１４年９月１０日に出願され出願番号第１４／４８３，０８９号が付与された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅ  Ｍｏｄｅｓ  ｏｎ  Ｌｏｓｓｙ  Ｍｅｄｉａ」と題された同時係属の米国非仮特許出願に関連する。本出願は更に、２０１５年６月２日に出願され出願番号第１４／７２８，５０７号が付与された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅｓ」と題された同時係属の米国非仮特許出願に関連する。本出願は更に、２０１５年６月２日に出願され出願番号第１４／７２８，４９２号が付与された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅｓ」と題された同時係属の米国非仮特許出願に関連する。
【手続補正４】
【補正対象書類名】明細書
【補正対象項目名】００３８
【補正方法】変更
【補正の内容】
【００３８】
誘導波及び放射伝搬それぞれに対する曲線１０３及び１０６の形状が興味深い。放射電界強度曲線１０６は、幾何級数的に低下（１／ｄ、式中ｄは距離である）し、これは、両対数目盛上で直線として示されている。一方、誘導電界強度曲線１０３は、
2018534764.tif 000001
の特徴的な指数関数的減衰を有し、両対数目盛上で独特の屈曲部１０９を呈する。誘導電界強度曲線１０３及び放射電界強度曲線１０６は、点１１２で交差し、これは交差距離で発生する。交差点１１２での交差距離未満の距離で、誘導電磁界の電界強度は、放射電磁界の電界強度より、大部分の位置で著しく大きい。交差距離より大きな距離では、その反対となる。したがって、誘導電界強度曲線及び放射電界強度曲線１０３及び１０６は、誘導電磁界と放射電磁界との間の根本的な伝搬の差異を更に示している。誘導電磁界と放射電磁界との間の差異の非公式な説明のために、Ｍｉｌｌｉｇａｎ，Ｔ．のＭｏｄｅｒｎ  Ａｎｔｅｎｎａ  Ｄｅｓｉｇｎ（ＭｃＧｒａｗ−Ｈｉｌｌ，１ｓｔ  Ｅｄｉｔｉｏｎ，１９８５，８〜９ページ）が参照される。
【手続補正５】
【補正対象書類名】明細書
【補正対象項目名】００４０
【補正方法】変更
【補正の内容】
【００４０】
空の空間において、波動方程式は、固有関数が複素波数平面上で固有値の連続スペクトルを保有する微分演算子である。この横電磁（transverse electro-magnetic）（ＴＥＭ）界は、放射電磁界と呼ばれ、それらの伝搬電界は、「ヘルツ波」と呼ばれる。しかし、導電境界の存在において、波動方程式に境界条件を加えると、数学的に、連続スペクトルに加えて離散スペクトルの合計からなる波数のスペクトル表現となる。このために、Ｓｏｍｍｅｒｆｅｌｄ，Ａ．の「Ｕｂｅｒ  ｄｉｅ  Ａｕｓｂｒｅｉｔｕｎｇ  ｄｅｒ  Ｗｅｌｌｅｎ  ｉｎ  ｄｅｒ  Ｄｒａｈｔｌｏｓｅｎ  Ｔｅｌｅｇｒａｐｈｉｅ」（Ａｎｎａｌｅｎ  ｄｅｒ  Ｐｈｙｓｉｋ，Ｖｏｌ．２８，１９０９，６６５〜７３６ページ）を参照する。また、「Ｐａｒｔｉａｌ  Ｄｉｆｆｅｒｅｎｔｉａｌ  Ｅｑｕａｔｉｏｎｓ  ｉｎ  Ｐｈｙｓｉｃｓ−Ｌｅｃｔｕｒｅｓ  ｏｎ  Ｔｈｅｏｒｅｔｉｃａｌ  Ｐｈｙｓｉｃｓ：Ｖｏｌｕｍｅ  ＶＩ」（Ａｃａｄｅｍｉｃ  Ｐｒｅｓｓ，１９４９，２３６〜２８９ページ，２９５〜２９６ページ）の第６章として刊行されたＳｏｍｍｅｒｆｅｌｄ，Ａ．の「Ｐｒｏｂｌｅｍｓ  ｏｆ  Ｒａｄｉｏ」、Ｃｏｌｌｉｎ、Ｒ．Ｅ．の「Ｈｅｒｔｚｉａｎ  Ｄｉｐｏｌｅ  Ｒａｄｉａｔｉｎｇ  Ｏｖｅｒ  ａ  Ｌｏｓｓｙ  Ｅａｒｔｈ  ｏｒ  Ｓｅａ：Ｓｏｍｅ  Ｅａｒｌｙ  ａｎｄ  Ｌａｔｅ  ２０ｔｈ  Ｃｅｎｔｕｒｙ  Ｃｏｎｔｒｏｖｅｒｓｉｅｓ」（ＩＥＥＥ  Ａｎｔｅｎｎａｓ  ａｎｄ  Ｐｒｏｐａｇａｔｉｏｎ  Ｍａｇａｚｉｎｅ，Ｖｏｌ．４６，Ｎｏ．２，Ａｐｒｉｌ  ２００４，６４〜７９ページ）、並びにＲｅｉｃｈ，Ｈ．Ｊ．、Ｏｒｄｎｕｎｇ，Ｐ．Ｆ、Ｋｒａｕｓｓ，Ｈ．Ｌ．及びＳｋａｌｎｉｋ，Ｊ．Ｇ．の「Ｍｉｃｒｏｗａｖｅ  Ｔｈｅｏｒｙ  ａｎｄ  Ｔｅｃｈｎｉｑｕｅｓ」（Ｖａｎ  Ｎｏｓｔｒａｎｄ，１９５３，２９１〜２９３ページ）を参照されたい。
【手続補正６】
【補正対象書類名】明細書
【補正対象項目名】０２２９
【補正方法】削除
【補正の内容】
【手続補正７】
【補正対象書類名】明細書
【補正対象項目名】０２３０
【補正方法】削除
【補正の内容】